(57)【特許請求の範囲】
【請求項１】
背面基板と、
前記背面基板の上面に所定のパターンに形成される第１電極と、
前記第１電極の上部に所定間隔離隔して前記第１電極と直交するように並んで形成された第２及び第３電極と、
前記第２電極と第３電極との間に電気的にフローティングされるように前記第２及び第３電極と並んで形成された補助電極と、
前記第１、第２、第３電極及び補助電極を埋めたてられるようにしてそれらを相互絶縁させるように前記背面基板の上面に形成された誘電層と、
前記背面基板の上部に結合されて放電空間を限定する前面基板とを含んでなることを特徴とするプラズマ表示素子。
【請求項２】
前記誘電層は、
前記第１電極が埋めたてられる第１誘電層と、
前記第２、３電極及び補助電極が埋めたてられる第２誘電層よりなることを特徴とする請求項１に記載のプラズマ表示装置。
【請求項３】
前記補助電極は所定幅と長さを有するように不連続的に形成されることを特徴とする請求項１に記載のプラズマ表示装置。
【請求項４】
前記第１、２電極間の誘電層の厚さが前記第１電極と補助電極との間の誘電層の厚さより厚いことを特徴とする請求項１に記載のプラズマ表示装置。
【請求項５】
前記補助電極と対向する前記第１電極の部分には突出部が形成されたことを特徴とする請求項４に記載のプラズマ表示装置。
【請求項６】
背面基板と、
前記背面基板に相互平行するように形成されたストライプ状の第１電極と、
前記第１電極の上部に所定間隔離隔して前記第１電極と直交するように並んで形成された第２及び第３電極と、
前記第２電極と第３電極との間に電気的にフローティングされるように前記第２及び第３電極と並んで形成された補助電極と、
前記第１、第２、第３電極及び補助電極が埋めたてられるようにしてそれらを相互絶縁させるように前記背面基板の上面に形成された誘電層と、
前記第１電極間の前記誘電層の上面に前記第１電極と並んだ方向に形成された隔壁と、
前記背面基板と結合されて前記隔壁と共に放電空間を限定する透明な前面基板と、
前記放電空間内の前記前面基板の下面に形成された蛍光層とを含んでなることを特徴とするプラズマ表示装置。
【発明の詳細な説明】
【０００１】
【発明の属する技術分野】
本発明は面放電を用いたプラズマ表示装置に関する。
【０００２】
【従来の技術】
プラズマ表示装置は表示容量が大きくて、輝度、コントラスト及び視野角などに優れて、陰極線管に代えうる平板型表示パネルとして注目されている。
【０００３】
このようなプラズマ表示装置はその動作原理に従って直流プラズマ表示装置と交流プラズマ表示装置とに大別される。直流プラズマ表示パネルは全ての電極が放電空間に露出されているし、その対応される電極間に電荷の移動が直接的になされる。これに対して、交流プラズマ表示装置は対応する電極の中で少なくとも一つの電極が誘電体に囲まれて、壁電荷の電界によって放電が遂行される。
【０００４】
図６及び図７には面放電型プラズマ表示装置の一例が示されている。
【０００５】
図示したように、プラズマ表示素子は背面基板10と、前記背面基板10上に所定のパターンで形成された第１電極11と、この第１電極11と背面基板10上に塗布された誘電層12と、この誘電層12上に形成されて放電空間を限定し隣接する放電セル間の電気的光学的クロストークを防止する隔壁13と、前記隔壁13上に結合されて前記第１電極11と直交する所定パターンの第２電極14と第３電極15が下面に形成された前面基板16を具備する。
【０００６】
そして、前記前面基板16の下面には電極14、15が埋立てられるように誘電層18が形成される。この誘電層18の下面には保護層19がさらに形成できる。前記隔壁13により限定される放電空間内の少なくとも一側には蛍光体層17が形成され、同時に放電空間には放電ガスが満たされる。
【０００７】
上記のように構成されたプラズマ表示装置において、前記第１電極11と共通電極の第２電極14に電圧が印加されれば、これらの間で予備放電が起きて前面基板16の誘電層18の下面に荷電粒子が形成される。この状態で第２電極14と第３電極15との間に所定の電圧が印加されれば前面基板16の誘電層18の表面で維持放電が起きる。この時にガス層でプラズマが形成されることによって放出される紫外線により蛍光体層17の蛍光体が励起されて画像を形成する。
【０００８】
上記のように動作する従来のプラズマ表示素子は次のような問題点を有している。
【０００９】
１）第１電極と第２電極との間隔が相対的に広いので、予備放電を遂行しようとすれば、第１電極と第２電極間との間に例えば300V程度の高い電圧を印加する必要がある。これは表示パネルの寿命を縮める原因になる。
【００１０】
２）第２電極と第３電極が同一平面上に位置するので、これら間の静電容量が相対的に小さく、弱いエネルギーのプラズマが形成される。従って、画像の輝度が劣化する。
【００１１】
３）第２電極及び第３電極と誘電層が前面基板に形成されているので、この電極を透明な材料で形成する必要がある。これは電極の材料選択を制限させるだけでなく、前面基板に対する光透過率が低い原因になる。
【００１２】
４）第２電極と第３電極との間隔が相対的に狭く形成されているので、維持放電時プラズマの形成領域が広くなくて蛍光体を十分に励起できない。
【００１３】
【発明が解決しようとする課題】
そこで、本発明は、第２及び第３電極を背面基板に形成させて前面基板に対する光透過率を上げ、放電開始電圧が低くて、蛍光体を励起させるために強い紫外線が得られるプラズマ表示装置を提供することを目的とする。
【００１４】
【課題を解決するための手段】
前記の目的を達成するための本発明のプラズマ表示装置は、
背面基板と、前記背面基板の上面に所定のパターンに形成される第１電極と、前記第１電極の上部に所定間隔離隔して前記第１電極と直交するように並んで形成された第２及び第３電極と、前記第２電極と第３電極との間に電気的にフローティングされるように前記第２及び第３電極と並んで形成された補助電極と、前記第１、第２、第３電極及び補助電極を埋めたてられるようにしてそれらを相互絶縁させるように前記背面基板の上面に形成された誘電層と、前記背面基板の上部に結合されて放電空間を限定する前面基板とを含む。
【００１５】
ここで、前記誘電層は前記第１電極が埋めたてられる第１誘電層と、前記第２、３電極及び補助電極が埋めたてられる第２誘電層よりなりうる。
【００１６】
また、前記補助電極は所定幅と長さを有するように不連続的に形成できる。
【００１７】
本発明によれば、前記第１、２電極間の誘電層の厚さが前記第１電極と補助電極との間の誘電層の厚さより厚いことが望ましい。例えば、前記補助電極と対向する前記第１電極の部分には突出部が形成できる。
【００１８】
本発明のさらに他の側面によれば、
背面基板と、前記背面基板に相互平行するように形成されたストライプ状の第１電極と、前記第１電極の上部に所定間隔離隔して前記第１電極と直交するように並んで形成された第２及び第３電極と、前記第２電極と第３電極との間に電気的にフローティングされるように前記第２及び第３電極と並んで形成された補助電極と、前記第１、第２、第３電極及び補助電極が埋めたてられるようにしてそれらを相互絶縁させるように前記背面基板の上面に形成された誘電層と、前記第１電極間の前記誘電層の上面に前記第１電極と並んだ方向に形成された隔壁と、前記背面基板と結合されて前記隔壁と共に放電空間を限定する透明な前面基板と、前記放電空間内の前記前面基板の下面に形成された蛍光層とを含んでなることを特徴とするプラズマ表示装置が提供される。
【００１９】
【発明の実施の形態】
以下、添付した図面を参照して本発明の望ましい実施の形態を詳細に説明する。
【００２０】
図１及び図２は本発明に係るプラズマ表示装置を示す。
【００２１】
図面を参照すれば、背面基板21の上面にストライプ状の第１電極22が形成され、背面基板21の上面には前記第１電極22を覆うように誘電層23が形成される。
【００２２】
前記誘電層23内に、前記第１電極22と所定距離離隔して相互直交するように第２及び第３電極24、25が所定のパターンに形成される。そして前記第２及び第３電極24、25との間の誘電層23の内には補助電極26が形成される。この補助電極26は電気的にフローティングされる。
【００２３】
前記誘電層23の上面には、例えばＭｇＯよりなる保護膜27が形成され、この保護膜27の上には隔壁50が所定間隔で形成される。前記隔壁50は第１電極22との間にそれらと並んで形成されることが望ましい。前記隔壁の形成は本実施の形態により限らず、放電空間を区画できる構造であればどれも可能である。
【００２４】
前記隔壁50の上には透明な前面基板30が結合されて放電空間を限定し、この放電空間には放電ガスが充填される。また、前記放電空間内の前面基板30の下面には蛍光層40が形成される。
【００２５】
前記第１、２、３電極22、24、25と補助電極26は導電性ＩＴＯで形成できる。
【００２６】
そして第１及び第２電極22、24との間の漏れ電流を減らすために、前記補助電極26の幅Ｗ２を第２及び第３電極24、25の幅Ｗ１より広くすることが望ましい。これは単位画素当り補助電極26の表面積が第２電極24または第３電極25の表面積より広いことを意味する。
【００２７】
ここで、前記誘電層23は単一層で形成されているが、図３に示したように第１電極22が埋めたてられる第１誘電層23aと、この第１誘電層23aの上部に形成され第２、第３電極24、25と補助電極26が埋めたてられる第２誘電層23bを含みうる。
【００２８】
また、図４に示したように、補助電極26’は所定幅と長さを有するように不連続的に形成できる。
【００２９】
なお、前記補助電極26’の静電容量を大きくするために、第１電極22と補助電極26との間の誘電層23より第１電極22と第２電極24との間または第１電極22と第３電極25との間の誘電層23が厚いことが望ましい。このために、図４及び図５に示したように、前記補助電極26’と対向する第１電極22部分に突出部22aを形成して、第１電極22と補助電極26’の間隔を狭くできる。この時、前記突出部22aの大きさは補助電極26の大きさと同じことが望ましい。
【００３０】
このように構成された本発明によるプラズマ表示装置の動作を図１及び図２を参照して説明する。
【００３１】
選択された画素の第１電極22と第２電極24に第１交流電圧が印加されれば、第１電極22と第２電極24との間及び第２電極24と補助電極26との間に電圧差が発生する。前記印加される電圧が第２電極24と補助電極26との間の絶縁破壊電圧に至れば保護膜27表面に沿って放電がおきる。この時、放電電流は第１、２電極22、24と補助電極26の面積、誘電層23の厚さと誘電定数によって変化し、放電電圧は第２電極24と補助電極26との間及び第１電極22と第２電極24との間の誘電層23の厚さによって変わる。
【００３２】
放電により前記保護膜27の表面に荷電粒子が充電された状態で前記第２及び３電極24、25に所定の電圧が印加されれば、第２、３電極24、25との間で維持放電がおきる。この時、前記第２及び第３電極24、25との間には電気的にフローティングされた補助電極26が介在されているので、第２、３電極24、25間の静電容量が相対的に大きくなり、低い電圧でも維持放電を起こしうる。
【００３３】
また、前記維持放電は補助電極26を介在して起きるので、放電の長さが相対的に長くなる。このような維持放電により発生した紫外線により蛍光層40が励起されて発光する。
【００３４】
一方、図４に示したように、前記第１電極22に突出部22aが形成されて補助電極26’と第１電極22との間隔が狭くなった場合、放電電圧を低めうる。具体的には、前記補助電極26’の表面積は第２電極24の表面積より小さく、第１電極22と補助電極26’との間の誘電層23の厚さが第１電極22と第２電極24との間の誘電層23の厚さより薄いので、第１電極22と第２電極24との間のキャパシタンスより第１電極22と補助電極26’との間のキャパシタンスが大きくなって表面放電を効果的に起こしうる。
【００３５】
【発明の効果】
本発明の面放電型プラズマ表示装置によれば、維持放電を起こすための第３及び第３電極が前面基板に形成されなく背面基板上に形成されているので、前面基板への光透過率を上げられる。また、前記第２及び第３電極との間に補助電極が介在され、それらの間隔が広くなって放電を長くできるので、蛍光層を励起させる紫外線の強度を高めうる。
【００３６】
なお、以上の説明では、本発明を図面に示した実施の形態に基づいて説明したが、これは例示的なことにすぎなく、本願発明の技術的範囲内で当業者により変形できることは勿論である。
【図面の簡単な説明】
【図１】本発明の一実施の形態によるプラズマ表示装置の分離斜視図。
【図２】図１のプラズマ表示装置の断面図。
【図３】本発明の他の実施の形態によるプラズマ表示装置の断面図。
【図４】本発明のさらに他の実施の形態によるプラズマ表示装置の分離斜視図。
【図５】図４のプラズマ表示装置の断面図。
【図６】従来の面放電型プラズマ表示装置の分離斜視図。
【図７】図６に示した面放電型プラズマ表示装置の断面図。
【符号の説明】
21  背面基板
22  第１電極
23  誘電層
24、25  第２及び第３電極
26  補助電極
27  保護層
30  全面基板
40  蛍光層
50  隔壁
【図１】
0003739588.tif 000002
【図２】
0003739588.tif 000003
【図３】
0003739588.tif 000004
【図４】
0003739588.tif 000005
【図５】
0003739588.tif 000006
【図６】
0003739588.tif 000007
【図７】
0003739588.tif 000008